(57)【要約】      （修正有）【課題】通信装置１０を操作する新式で改良された方法を提供すること。【解決手段】この方法は複数の第１の音響サンプルを受信して記憶する工程を含み、第１のサンプル群の各々は個々のダイヤル入力要素のセットの１つに対応し、ダイヤル入力要素のセットは０〜９の数値を有する。この方法は複数の第２の音響サンプルを受信して記憶する工程を含む。第２のサンプル群の各々は実行可能な命令のセットの１つに対応し、実行可能な命令のセットはバッファ２２にロードされた電話番号をダイヤルする第１の命令を有する。個々のダイヤル入力要素それぞれに対応する第１のサンプルに合致する音響入力の受信に応答して個々のダイヤル入力要素がバッファ２２にロードされる。バッファ２２にロードされる個々のダイヤル入力要素は電話番号であり、第１の命令に対応する第２のサンプルに合致する音響入力の受信に応答してバッファ２２内の電話番号がダイヤルされる。【選択図】図１
2004248248.tif 000002
【特許請求の範囲】
【請求項１】
通信装置を操作する方法であって、
複数の第１の音響サンプルを受信する工程を含み、前記第１のサンプルの各々が個々のダイヤル入力要素のセットのうちの１つに対応し、個々のダイヤル入力要素の前記セットが数値ディジット０〜９を有し、
複数の第２の音響サンプルを受信する工程を含み、前記第２のサンプルの各々が実行可能な命令のセットのうちの１つに対応し、実行可能なコマンドの前記セットがバッファにロードされた電話番号をダイヤルするように規定された第１の命令を有し、
受信した第１と第２のサンプルを記憶する工程、
複数の音響入力を受信する工程、
音響入力と記憶したサンプルを比較する工程、
個々のダイヤル入力要素それぞれに対応する第１のサンプルと実質的に合致する音響入力の受信に応答して個々のダイヤル入力要素をバッファにロードする工程を含み、バッファにロードされる前記個々のダイヤル入力要素が電話番号を規定し、
第１の命令に対応する第２のサンプルと実質的に合致する音響入力の受信に応答してバッファ内の電話番号をダイヤルする工程を含む方法。
【請求項２】
実行可能な命令のセットが通信装置で確立された発呼を終結させるように規定された第２の命令を含み、前記方法が、
第２の命令に対応する第２のサンプルに実質的に合致する音響入力の受信に応答して発呼終結要求が識別されたことを示す工程、および
発呼終結要求の確認の獲得に応答して、通信装置で確立された発呼を終結させる工程をさらに含む、請求項１の方法。
【請求項３】
発呼終結要求の確認が、第２の命令に対応する第２のサンプルに実質的に合致する第２の音響入力の規定の時間的期間内の受信によって獲得される、請求項２の方法。
【請求項４】
第１と第２のサンプルの各々の受信が、
ユーザが規定のボタンを選択するのに応答してマイクロフォンを開く工程、
規定のボタンが選択されている間、マイクロフォンの開状態を保つ工程、および
規定のボタンが解放されるとマイクロフォンを閉じる工程を含み、
受信音響サンプルが開状態のマイクロフォンによって獲得される、請求項１の方法。
【請求項５】
受信した第１と第２の音響サンプルを記憶する前にそれらをデジタル化する工程、および、
受信した音響入力を記憶したサンプルと比較する前にそれらをデジタル化する工程をさらに含む、請求項１の方法。
【請求項６】
受信した音響入力が記憶した音響サンプルと実質的に合致するのに応答して記憶した音響サンプルを再生する工程をさらに含む、請求項１の方法。
【請求項７】
複数の第１の音響サンプル、複数の第２の音響サンプルおよび複数の選択的に入れられる音響入力を受信する手段を含み、前記第１のサンプルの各々が個々のダイヤル入力要素のセットのうちの１つに対応し、個々のダイヤル入力要素の前記セットが数値ディジット０〜９を有し、前記第２のサンプルの各々が実行可能な命令のセットのうちの１つに対応し、実行可能なコマンドの前記セットが電話番号をダイヤルするように規定された第１の命令を有し、
受信した第１と第２のサンプルを記憶する手段、
入れられた音響入力と記憶したサンプルを比較する手段、
個々のダイヤル入力要素それぞれに対応する第１のサンプルと実質的に合致する入来音響入力の受信に応答して個々のダイヤル入力要素をバッファ化する手段を含み、バッファ化される前記個々のダイヤル入力要素が電話番号を規定し、
第１の命令に対応する第２のサンプルと実質的に合致する入来音響入力の受信に応答してバッファ内の電話番号をダイヤルする手段を含む通信装置。
【請求項８】
受信する手段がマイクロフォンを含む、請求項７の通信装置。
【請求項９】
記憶する手段がメモリを含む、請求項７の通信装置。
【請求項１０】
比較する手段が音声識別モジュールを含む、請求項７の通信装置。
【発明の詳細な説明】
【技術分野】
【０００１】
本発明は、無線通信に関する。それはセルラー通信ネットワークの移動局ハンドセットもしくは移動局（ＭＳ）との関連で特定の用途を見出すものであり、それに関する特定の参考資料でもって説明されるであろう。しかしながら、本発明が他の類似した用途、例えば電話器一般にも従うことは理解されるべきである。
【背景技術】
【０００２】
ＭＳ（例えば携帯電話、無線パーソナル・デジタル・アシスタント（ＰＤＡ）、無線装備のポータブルもしくはラップトップのコンピュータなど）はしばしば、ユーザが選択的に電話番号、例えば頻繁にダイヤルする番号をプログラムするかまたは記憶させる電子的ディレクトリを設けられる。様々なそのような電子的ディレクトリおよびそれらの実施は一般的に知られている。通常、そのディレクトリ内の各記入項目はマルチ・ディジットの電話番号（ＰＮ）と共にそのＰＮの属する付随する相手の名前を含む。
【０００３】
電話器のハンズフリー操作の提供は、特にＭＳのケースで関心事である。ＭＳのハンズフリー操作は利便性のために望まれるか、またはユーザの手が他の作業に携わっているときに望まれる。例えば、自動車を運転時のＭＳのハンズフリー操作は運転者が手をステアリング・ホイールに保持することまたはそうでなければ車両の安全操作に従事することを可能にする。したがって、その電子的ディレクトリに記憶された記入項目を音声作動でダイヤルすることを可能にするＭＳが開発されてきた。ある範例では、ディレクトリ内のＰＮのうちの１つをダイヤルするために、ユーザは音声作動ダイヤル入力が発動する信号を送るためにＭＳ上のボタンを最初にマニュアルで押すものであった。一旦発動すると、ＭＳは割り当てられた時間的期間について可聴式の入力を検出する。その割り当て時間中に、ユーザが語句（普通は記入項目に付随する名前）を話し、それをＭＳが受信することが可能である。もしも前もって記録した電子的ディレクトリ内の記入項目の索引付けられるかそうでなければつながる可聴語句との適切な合致がある場合、その記入項目に関するマルチ・ディジットのＰＮがダイヤルされて送信される。発呼が終了するかそうでなければ接続が停止もしくは終結すると、ユーザは再びボタン、例えば「終了」ボタンを押さなければならない。
【発明の開示】
【発明が解決しようとする課題】
【０００４】
ある程度のハンズフリー操作を提供するけれども、代表的な音声作動ダイヤル入力の形態の前述の範例はある観点で制限を受ける。例えば、通常のマニュアル操作よりも普通は少ないけれども、各発呼の開始と終結はまだＭＳのある程度の手動操作を含む。このタイプの音声作動ダイヤル入力形態を使用してダイヤルすることが可能な様々なＰＮの数もまた、ダイヤル可能なＰＮが電子的ディレクトリに記憶されたそれらだけという制限を受ける。例えば、さらに最近になって入手されたユーザがまだ電子的ディレクトリにプログラムする機会を持たなかったＰＮは音声ダイヤル入力することができず、頻繁に発呼しないので電子的ディレクトリに無いＰＮ、あるいは何らかの他の理由でユーザが電子的ディレクトリに入れようとしないＰＮも、同様に音声ダイヤル入力することができない。付け加えると、メモリの制限条件のせいで、前もって記録することのできる可聴語句の数が制限を受ける。したがって、前もって記録される可聴語句に索引付けられるかまたはつながることの可能な電子的ディレクトリの記入項目の数も同様に制限を受ける。すなわち、このタイプの音声作動ダイヤル入力形態では、しばしば、電子的ディレクトリ内のすべての記入項目をダイヤルすることすらできない。
【０００５】
本発明は新型で改良された音声ダイヤル入力形態、方法および／またはそれを取り入れたＭＳを意図しており、それは上述の問題等を克服する。
【課題を解決するための手段】
【０００６】
本発明の一態様によると、通信装置を操作する方法は、複数の第１の音響サンプルを受信する工程を含み、第１の音響サンプル群の各々が個々のダイヤル入力要素のセットのうちの１つに対応し、個々のダイヤル入力要素のセットが０〜９の数値ディジットを有し、複数の第２の音響サンプルを受信する工程を含み、第２の音響サンプル群の各々が実行可能な命令のセットのうちの１つに対応し、実行可能なコマンドのセットがバッファにロードされた電話番号をダイヤルするように規定された第１の命令を有し、第１と第２のサンプルを記憶する工程、複数の音響入力を受信する工程、音響入力と記憶したサンプルを比較する工程、個々のダイヤル入力要素それぞれに対応する第１のサンプルと実質的に合致する音響入力の受信に応答して個々のダイヤル入力要素をバッファにロードする工程を含み、バッファにロードされる個々のダイヤル入力要素が電話番号を規定し、第１の命令に対応する第２のサンプルと実質的に合致する音響入力の受信に応答してバッファ内の電話番号をダイヤルする工程を含む。
【０００７】
本発明のまた別の態様によると、通信システムは、選択された個々のダイヤル入力要素をロードして電話番号を規定するバッファを有する。個々のダイヤル入力要素は数値ディジット０〜９を含むそのセットから選択される。メモリが複数の第１および第２の音響サンプルを記憶する。第１のサンプルの各々は個々のダイヤル入力要素のセットのうちの１つに対応し、第２のサンプルの各々は実行可能な命令のセットのうちの１つに対応し、実行可能な命令のセットはバッファにロードされた電話番号をダイヤルするように規定された第１の命令を含む。やはり含まれているのが、音響入力を受信するように配置されたマイクロフォン、および受信した音響入力をメモリに記憶されたサンプルと比較する音声識別モジュールである。動作では、音声識別モジュールが受信音響入力を個々のダイヤル入力要素に対応する第１のサンプルと実質的に合致させるのに応答して個々のダイヤル入力要素がバッファ内にロードされ、音声識別モジュールが受信音響入力を第１の命令に対応する第２のサンプルと実質的に合致させるのに応答してバッファ内の電話番号がダイヤルされる。
【０００８】
本発明のまた別の態様によると、通信装置は、複数の第１の音響サンプル、複数の第２の音響サンプルおよび選択的に入る複数の音響入力を受信するための手段を含み、第１のサンプルの各々が個々のダイヤル入力要素のセットのうちの１つに対応し、個々のダイヤル入力要素が数値ディジット０〜９を有し、第２のサンプルの各々が実行可能な命令のセットのうちの１つに対応し、実行可能な命令のセットが電話番号をダイヤルするように規定された第１の命令を有し、受信した第１と第２のサンプル群を記憶するための手段、入って来る音響入力を記憶したサンプルと比較するための手段、個々のダイヤル入力要素それぞれに対応する第１のサンプルと実質的に合致する入来音響入力の受信に応答して個々のダイヤル入力要素をバッファ化するための手段を含み、バッファ化された個々のダイヤル入力要素が電話番号を規定し、第１の命令に対応する第２のサンプルと実質的に合致する入来音響入力の受信に応答して電話番号をダイヤルする手段を含む。
【０００９】
本発明の１つの利点は、ＭＳ内に前もって記憶されていないＰＮのハンズフリーの音声ダイヤル入力を提供する能力である。
本発明のまた別の利点は、ユーザの言語および／または方言で音声操作を提供する能力である。
本発明のさらなる利点と利益は以下の好ましい実施形態の詳細な説明を読んで理解した当業者にとって明らかになるであろう。
本発明は、様々な部品および部品の配置、および様々な工程および工程の配列の形式をとる。図面は単に好ましい実施形態を例示する目的のためのものであって、本発明を限定すると解釈されるべきではない。さらに、図面が縮尺通りでないことは理解されるべきである。
【発明を実施するための最良の形態】
【００１０】
図１を参照すると、無線通信ネットワークのＭＳ１０は、選択したＰＮのハンズフリー発呼を提供する音声ダイヤル入力形態を装備している。留意すべきその詳細を除いて、ＭＳ１０は構造および／または機能において当該技術で一般的に知られている他の適当なＭＳに類似している可能性がある。具体的例示を目的としてここで述べる範例の実施形態は移動局ハンドセットもしくは電話器である。しかしながら、他のタイプのＭＳ類、回線主体のコード付きもしくはコードレス電話などが同等に適した実施形態であることは理解されるべきである。
【００１１】
図示したように、ＭＳ１０は、ＭＳ１０の動作を制御および調節する中央処理装置（ＣＰＵ）１２を含む。メモリ２０が選択されたデータおよび／または情報を記憶することが適切であるが、しかしながら他のタイプの記憶装置が使用される可能性もある。メモリ２０はＰＮの個々のダイヤル入力要素（例えばディジット）が選択的に入れられてダイヤル入力目的に保持されるダイヤル入力バッファ２２を含む。入出力（Ｉ／Ｏ）インターフェース３０はユーザとのやりとり、および／またはＭＳ１０の操作のために使用される。インターフェース３０は、ＭＳにとって通例であるマイクロフォン３２、スピーカ３４、ディスプレイ３６およびキーパッド３８を有することが適切である。アナログ―デジタル変換器（Ａ／Ｄ）４０はマイクロフォン３２からおよび／またはスピーカ３４への信号を処理する。Ａ／Ｄ４０は当該技術で一般的に知られているようにボコーダの形式をとることが適切である。ＭＳ１０はまた、音声識別モジュール（ＶＲＭ）５０も装備している。データ・バス６０または他の類似したデータおよび信号のルーティング装置がＭＳ１０のそれぞれの部品の間の連絡をサポートする。
【００１２】
ＭＳ１０はユーザ７０（図２〜５）がインターフェース３０を介して望み通りに選択することのできる３つのモードを有することが適切である。例えば、それらのモードはディスプレイ３６上のメニューに項目として表示されることが可能であり、それらからユーザ７０はキーパッド３８上のボタンもしくは一連のボタン押すことによって所望のモードを選択する。名目上、ここではそれらのモードを通常モード（ＮＭ）、暗記モード（ＬＭ）および音声ダイヤル入力モード（ＶＤＭ）と称する。ＮＭでは、ＭＳ１０は標準のＭＳ、すなわちダイヤル入力で動作し、慣例のＭＳ操作がマニュアルで、または普通の方式で実行される。
【００１３】
図２と３を参照すると、ＭＳ１０の音声ダイヤル入力形態を設定するためにＬＭが使用される。すなわち、ＬＭでは、ＭＳ１０は選択された音響もしくは音声入力をユーザ７０によって「教えられる」。これらの音声入力は、名目上、音声ダイヤル入力ディジット（ＶＤＤ）と音声ダイヤル入力命令（ＶＤＣ）の２つのタイプのうちの１つに分類することができる。ＶＤＤは個々のダイヤル入力要素、例えばＰＮの個々のディジットとして入れられる可能性のある文字の規定のセットに属する音声入力である。文字の規定のセットは数字０〜９、および場合によってはアルファベットの文字、電話器ボタン（＃）およびアスタリスク記号（＊）を含むことが適切である。ＶＤＣは発呼開始、ダイヤル入力および／または発呼終結に関連する実行可能命令の規定のセットに属する音声入力である。実行可能命令の規定のセットは「ダイヤル準備」命令、「ダイヤル終了」命令、「送信」命令および「発呼終結」命令を含むことが適切である。
【００１４】
ＬＭでは、ＶＤＤおよびＶＤＣのための音響サンプルはユーザ７０によってＭＳ１０に入れられ、メモリ２０に記憶される。特に図２を参照すると、所定のＶＤＤもしくはＶＤＣのために話されるか、そうでなければ可聴のサンプルを受信もしくは検出するのにマイクロフォン３２が使用される。受信したサンプルはＡ／Ｄ（もしくはボコーダ）４０によってデジタル化され、メモリ２０内、例えばＶＤＤもしくはＶＤＣのために指定された場所に記憶される。
【００１５】
図３を参照すると、ＭＳ１０はそれに対応する、話されるか、そうでなければ可聴のサンプルをＶＤＤとＶＤＣの各々についてユーザ７０から入手して記憶することによってＬＭでＶＤＤとＶＤＣを暗記する。単純化するために、図示した範例の経過は１つのＶＤＤ／ＶＤＣを暗記するＭＳ１０を示している。しかしながら、その経過が各々のＶＤＤとＶＤＣについて繰り返されてＭＳ１０によって暗記されることは理解されるべきである。
【００１６】
図３の経過は、ユーザ７０がＭＳ１０のディスプレイ３６上に表示されたモード選択メニューからＬＭを選択することによって開始される。その後、ＭＳ１０はディスプレイ３６上に利用可能なＶＤＤとＶＤＣすべてのリストを提示し、そこからユーザ７０は所望の１つを選択する。次に、ＭＳ１０は選択肢のサブ・メニューを表示する。サブ・メニューは選択されたＶＤＤ／ＶＤＣを作成、確認、保存するための選択肢を含むことが適切である。図示したように、ユーザ７０は作成選択肢を選んで選択したＶＤＤ／ＶＤＣのために新たに音声サンプルを入れる。ＭＳ１０は「準備完了」の表示で、例えばディスプレイ３６に適切なメッセージを出力し、かつ／またはスピーカ３４から可聴の信号もしくはビープ音を供給してユーザに返答する。準備完了の表示は、ＭＳ１０がサンプルを受信する設定にあることをユーザ７０に知らせる。その後、ユーザ７０はキーパッド３８上のボタン、例えば指定された機能ボタンを押して保持することでサンプルの入力の開始を信号送信する。そのボタンを保持している間で、ユーザ７０はマイクロフォン３２に、選択したＶＤＤ／ＶＤＣに割り当てようと望むサンプルを発声し、その後、ボタンを離してサンプルの入力の完了を信号送信する。入力されたサンプルは一時的にそれ相応に記憶される（図２参照）。
【００１７】
ＭＳ１０は再びサブ・メニューを表示する。図示したように、今回は、ユーザ７０は確認選択肢を選ぶ。返答に、ＭＳ１０は準備完了の表示をユーザ７０に出力してＭＳ１０がテスト入力を受信する設定にあることを彼等に知らせる。その後、ユーザ７０は再びキーパッド３８上の適切なボタンを押して保持し、テスト入力であることを信号送信する。ボタンを保持している間で、ユーザ７０はマイクロフォン３２にテスト入力を発声し、その後、ボタンを離してテスト入力を入れ終わったことを信号送信する。テスト入力はＶＲＭ５０へと、例えば実際に音声入力がＶＤＭにあるのと同じ方式（図４参照）で経路決定される。ＶＲＭ５０はテスト入力を、メモリ内の確認すべきＶＤＤ／ＶＤＣに指定された場所に記憶されたサンプルと比較する。実質的な合致がある、すなわち決められた許容差内であるという条件で、テストは確認され、そうでなければテストは失敗である。いずれのケースでも、確認結果はユーザ７０に提供され、再びサブ・メニューが表示される。確認の成功を仮定すると、ユーザ７０は保存選択肢を選び、それにより前にメモリ２０に入れたサンプルは保持される。
【００１８】
ここに述べる音声ダイヤル入力形態が多言語の音声ダイヤル入力形態であることは理解されるはずである。すなわち、ＭＳ１０は特定の言語／方言を使用する音声操作用に前もってプログラムされるものではなく、例えば、ＬＭで保存されるサンプルおよび／またはＶＤＭで入れられる入力はユーザの生来の発声か、そうでなければ選択される言語および／または方言であってもよい。さらに、所定のＶＤＤ／ＶＤＣに伴って選択される特定のサンプル語句はユーザの望み通りに任意に選択することができる。ユーザが、相当するＶＤＤ／ＶＤＣに合理的に関係するサンプルとして語句を発声する（それゆえにそれらを入力として使用する）ように奨励されることが適切である。しかしながら、いくつかの例（例えば発呼終結ＶＤＣ）では、不本意な音声入力識別を避けるために、ユーザは通常の会話で頻繁に出て来る語句を使おうと考えてはならない。
【００１９】
図４と５を参照すると、ＶＤＭがＭＳ１０のハンズフリー操作のために使用される。ＶＤＭで、操作に関する発呼の設定と終結は、ＭＳ１０に音声もしくは可聴入力を供給するユーザ７０によって、すなわちＶＤＤおよびＶＤＣを使用することによって選択および／または制御される。一旦ＶＤＭが作動すると、ユーザ７０は、例えば電子的ディレクトリに前もって保存するかそうでなければ以前に記憶させた所望のＰＮのダイヤル入力を含むＭＳ１０のさらなるマニュアル操作をせずに、１つまたは複数の発呼を選択的に設定および／または終結することが可能である。
【００２０】
特に図４を参照すると、ＶＤＭで、話されるかそうでなければ可聴の入力をユーザ７０から受信もしくは検出するためにマイクロフォン３２が使用される。受信された音響信号はＡ／Ｄ（もしくはボコーダ）４０によってデジタル化され、ＶＲＭ５０によって経路決定される。ＶＲＭ５０は音響入力をメモリ２０に記憶したサンプルと比較する。ＶＲＭ５０が充分緊密に合致する、すなわち規定の許容差以内であることを見出すと、合致サンプルに対応するＶＤＤまたはＶＤＣが、例えば合致サンプルが記憶されたメモリ場所によって識別される。応答で、ＭＳ１０はＣＰＵ１２の監督下で、識別されたＶＤＤまたはＶＤＣに対応する規定の動作を実行する、例えばＶＤＤに伴う個々のダイヤル入力要素をダイヤル入力バッファ２２に入れるか、あるいは「送信」命令のようなＶＤＣに付随する命令を実行してそれによりＭＳ１０がダイヤル入力バッファ２２内のＰＮをダイヤルして送信し、発呼を確立する。もしも合致が見られないか、そうでなければ音声入力が不適切である場合、適切なエラー処理ルーチンが誘起される。エラー処理ルーチンは、場合によっては、インターフェース３０を通じて事実および／または遭遇したエラーの性質をユーザ７０に報告し、例えば再入力を要求することによってユーザ７０にそれを修復する機会を提供する。
【００２１】
図５はＭＳ１０に前もって記憶されていない所望のＰＮに発呼を確立するユーザ７０を示している。図５の過程はＭＳ１０のディスプレイ３６上に表示されるモード選択メニューからユーザ７０がＶＤＭを選択することによって開始される。ＶＤＭの選択がこの過程の唯一のマニュアル部分であることが好ましいことに留意すべきである。付け加えると、ＶＤＭのマニュアル選択が各々の個別の発呼について実行される必要がない、すなわちＶＤＭの１回の作動で多数の発呼を行うことができることは理解されるはずである。
ＶＤＭが作動すると、ＭＳ１０はその表示を、例えばディスプレイ３６上の適切なメッセージまたは規定のＶＤＭ表示ライトの照明を介してユーザ７０に提供する。発呼をしたいとき、ユーザ７０は「ダイヤル準備」ＶＤＣを発声する。「ダイヤル準備」ＶＤＣは、ユーザ７０が一連のダイヤル入力要素をダイヤル入力バッファ２２に入れるように望んでいることをＭＳ１０に信号送信する。入力ＶＤＣがメモリ２０内のそれのためのサンプルと合致するという条件で、ＭＳ１０は、対応する準備状態に入ってその適切な表示をユーザ７０に返すことによって応答する。その表示はメモリ２０に由来する合致サンプルの再生であること、すなわちデジタル化されたサンプルがＡ／Ｄ（もしくはボコーダ）４０を通じてそれが出力されるスピーカ３４へと経路決定されることが適切である。
【００２２】
その後、ユーザ７０は個々のダイヤル入力要素に対応するＶＤＤを発声し、それがダイヤル入力バッファ２２に入る。「ダイヤル入力終了」ＶＤＣの発声は、ユーザ７０がダイヤル入力バッファ２２内にＰＮを入れ終えたことをＭＳ１０に知らせる。ＭＳ１０は、例えばバッファ２２内に入れられたＰＮを再生することによって、「ダイヤル入力終了」ＶＤＣを受け取ったことを知らせる応答をする。やはり、再生はメモリ２０由来のサンプルを使用して達成される。再生されるＰＮが実際にダイヤルされるＰＮであるとすると、ユーザ７０は「送信」ＶＤＣを発声する。ＭＳ１０はそれに応じて、すなわち入力がサンプルに合致すれば、バッファ２２内のＰＮをダイヤルして送信し、発呼を確立することによって応答する。
【００２３】
発呼を終了し、かつ／またはＭＳ１０を停止するために、ユーザ７０は「発呼終結」ＶＤＣを発声する。「発呼終結」ＶＤＣが実際に表わされて、例えば会話の部分ではないことを確実化するために、ＭＳ１０はユーザ７０の確認を要求する。この確認要求はディスプレイ３６上の問合せメッセージの提示を含むか、あるいは、例えばメモリ２０から合致サンプルを再生することにより、見込まれる「発呼終結」ＶＤＣが登録されたという他の何らかの表示を提供することによることが適切である。図示したように、その後、確認はユーザ７０が「発呼終結」ＶＤＣを反復するという形式をとることが可能である。２回目に登録される「発呼終結」ＶＤＣで、ＭＳ１０が停止するか、そうでなければ発呼が終了される。もしも２回目の「発呼終結」ＶＤＣが規定の時間的期間内に登録されなければ、１回目のそれは間違って登録されたと考えられ、発呼は継続するであろう。場合によっては、発呼の終結は、規定の期間の沈黙が検出される場合に自動的に実行されることも可能である。
【００２４】
ここに述べた特定の要素または構成成分が、適切に構成されて、かつ／またはハードウェア、ソフトウェア、ファームウェアもしくはそれらの組合せとして導入される構造および／または機能を有する可能性があることは理解されるべきである。付け加えると、ここに述べた、一体に盛り込んだある要素が適切な環境下で独立した要素となるか、そうでなければ分割される可能性もあることは理解されるべきである。同様に、ある特定の要素によって実行される特定の記載した複数機能が、独立して個別の機能を実行するように作用する複数の別々の要素によって実行されることも可能であり、あるいはある個別機能が分割され、協力して作用する複数の別々の要素によって実行されることも可能である。場合によっては、互いに別々のものとしてここに述べたものとは別のいくらかの要素または構成成分が適切な場所で物理的または機能的に組み合わされることも可能である。
好ましい実施形態を参照しながら本発明を説明してきた。ここまでの詳細な説明を読んで理解する他者が改造および変形を為し得ることは明白である。本発明はそのような改造および変形が添付の特許請求項の範囲内または同等物の範囲に含まれると解釈されることが意図される。
【図面の簡単な説明】
【００２５】
【図１】本発明の態様によるＭＳの、範例となる構造体を示すブロック図である。
【図２】本発明の態様による図１のＭＳの、範例となる動作中の暗記モードを示すブロック図である。
【図３】本発明の態様による範例となる過程を示す図式的な例示図であって、これによって図１のＭＳは音声入力を暗記する。
【図４】本発明の態様による図１のＭＳの、範例となる動作中の音声ダイヤル入力モードを示すブロック図である。
【図５】本発明の態様による範例となる過程を示す図式的な例示図であって、これによって図１のＭＳは音声入力に応答して発呼を確立する。
【図１】
2004248248.tif 000003
【図２】
2004248248.tif 000004
【図３】
2004248248.tif 000005
【図４】
2004248248.tif 000006
【図５】
2004248248.tif 000007